(57)【要約】【課題】反り抑制具の小型化を図ると共に、ドアの見栄えを向上させ、且つ、反り抑制具の設置時の作業性を良好とする。【解決手段】本発明のドアの反り抑制方法は、建物の壁２２に形成された開口２４を開閉するドア１２と、ドア１２の上下を壁２２に対して回動可能に支持する一対のピボット型ヒンジ１４，１６と、開口２４におけるピボット型ヒンジ１４，１６側の縦縁２４Ａに沿って設けられ、ドア１２が閉状態にあるときにドア１２と厚さ方向に隙間を有して対向する戸当り５０を有する縦枠１８と、を備えたドア構造１０に対し、ドア１２の上下方向における一対のピボット型ヒンジ１４，１６の中間部に位置されるように、戸当り５０のドア１２と対向する面５０Ａに、反り抑制具２０を設ける方法である。【選択図】図１
2010163784.tif 000002
【特許請求の範囲】
【請求項１】
建物の壁に形成された開口を開閉するドアと、
前記ドアの上下を前記壁に対して回動可能に支持する一対のピボット型ヒンジと、
前記開口における前記ピボット型ヒンジ側の縦縁に沿って設けられ、前記ドアが閉状態にあるときに前記ドアと厚さ方向に隙間を有して対向する戸当りを有する縦枠と、
を備えたドア構造に対し、
前記ドアの上下方向における前記一対のピボット型ヒンジの中間部に位置されるように、前記ドア及び前記戸当りの互いに対向する面の間に、反り抑制具を設ける、
ドアの反り抑制方法。
【請求項２】
前記戸当りに、前記反り抑制具を設ける、
請求項１に記載のドアの反り抑制方法。
【請求項３】
前記反り抑制具を、前記ピボット型ヒンジの少なくとも一部と前記ドアの幅方向にオーバラップするように設ける、
請求項１又は請求項２に記載のドアの反り抑制方法。
【請求項４】
前記ドアとして、
一対の縦桟、及び、前記一対の縦桟の上下にそれぞれ結合されると共にドア内外を連通する空気出入孔が形成された上桟及び下桟を有して構成された枠材と、前記枠材に結合された一対の表面材と、ドア内部に前記縦桟に沿って設けられ、前記枠材に結合された金属パイプと、を有するドアを用いる、
請求項１〜請求項３のいずれか一項に記載のドアの反り抑制方法。
【請求項５】
建物の壁に形成された開口を開閉するドアと、
前記ドアの上下を前記壁に対して回動可能に支持する一対のピボット型ヒンジと、
前記開口における前記ピボット型ヒンジ側の縦縁に沿って設けられ、前記ドアが閉状態にあるときに前記ドアと厚さ方向に隙間を有して対向する戸当りを有する縦枠と、
前記ドアの上下方向における前記一対のピボット型ヒンジの中間部に位置されると共に、前記ドア及び前記戸当りの互いに対向する面の間に設けられた反り抑制具と、
を備えたドア構造。
【請求項６】
前記反り抑制具は、前記戸当りに設けられている、
請求項５に記載のドア構造。
【請求項７】
前記反り抑制具は、前記ピボット型ヒンジの少なくとも一部と前記ドアの幅方向にオーバラップするように設けられている、
請求項５又は請求項６に記載のドア構造。
【請求項８】
前記ドアは、
一対の縦桟、及び、前記一対の縦桟の上下にそれぞれ結合されると共にドア内外を連通する空気出入孔が形成された上桟及び下桟を有して構成された枠材と、
前記枠材に結合された一対の表面材と、
ドア内部に前記縦桟に沿って設けられ、前記枠材に結合された金属パイプと、
を有する、
請求項５〜請求項７のいずれか一項に記載のドア構造。
【請求項９】
建物の壁に形成された開口を開閉するドアと、
前記ドアの上下を前記壁に対して回動可能に支持する一対のピボット型ヒンジと、
前記開口における前記ピボット型ヒンジ側の縦縁に沿って設けられ、前記ドアが閉状態にあるときに前記ドアと厚さ方向に隙間を有して対向する戸当りを有する縦枠と、
を備えたドア構造における、前記ドアの反りを抑制するための反り抑制具であって、
前記ドアの上下方向における前記一対のピボット型ヒンジの中間部に位置されるように、前記ドア及び前記戸当りの互いに対向する面の間に設けられる、反り抑制具。
【発明の詳細な説明】
【技術分野】
【０００１】
本発明は、ドアの反り抑制方法及びドア構造並びに反り抑制具に関する。
【背景技術】
【０００２】
特許文献１には、ドアと枠の縦の合わせ目にそれぞれ設けられた雄器具と雌器具により構成され、ドアが閉じられたときに雄器具と雌器具が嵌合されることにより、このドアの反りを防止するドアの反り防止器具が開示されている。
【先行技術文献】
【特許文献】
【０００３】
【特許文献１】特開２００８−３８３４６号公報
【発明の概要】
【発明が解決しようとする課題】
【０００４】
しかしながら、上記特許文献１に記載のドアの反り防止器具では、次の問題がある。
【０００５】
すなわち、雄器具と雌器具は、ドアと枠の縦の合わせ目に設けられているが、このドアと枠の縦の合わせ目は、ドアの反りの方向と平行な方向に沿う面で構成されている。このため、ドアに反りが生じたときには、雄器具及び雌器具に対してせん断方向に力が作用する。従って、ドアに対する反り防止効果を確保するためには、雄器具及び雌器具の嵌合力を高める必要があり、このためには、雄器具及び雌器具を大きく構成する必要がある。
【０００６】
また、雄器具は、ドアに設けられているため、ドアを開けたときには、雄器具が外部から視認可能な状態となる。従って、ドアを開けたときには、ドアの見栄えが悪くなる。
【０００７】
また、雄器具と雌器具は、ドアと枠にそれぞれ設けられているため、雄器具と雌器具が円滑に嵌合されるようにするためには、雄器具と雌器具を精度良く位置調節する必要がある。
【０００８】
本発明は、上記問題に鑑みてなされたものであって、上記諸問題を解決することを目的とする。
【課題を解決するための手段】
【０００９】
前記課題を解決するために、請求項１に記載のドアの反り抑制方法は、建物の壁に形成された開口を開閉するドアと、前記ドアの上下を前記壁に対して回動可能に支持する一対のピボット型ヒンジと、前記開口における前記ピボット型ヒンジ側の縦縁に沿って設けられ、前記ドアが閉状態にあるときに前記ドアと厚さ方向に隙間を有して対向する戸当りを有する縦枠と、を備えたドア構造に対し、前記ドアの上下方向における前記一対のピボット型ヒンジの中間部に位置されるように、前記ドア及び前記戸当りの互いに対向する面の間に、反り抑制具を設ける方法である。
【００１０】
請求項１に記載のドアの反り抑制方法によれば、ドアの上下方向における一対のピボット型ヒンジの中間部に位置されるように、ドア及び戸当りの互いに対向する面の間に、反り抑制具を設ける。従って、ドアの上下に対して上下方向中間部が戸当り側に変位するようにドアに反りが生じた場合には、ドアの上下方向中間部の戸当り側への変位が反り抑制具によって規制されるので、これにより、ドアの反りを抑制することができる。
【００１１】
また、ドアの上下を壁に対して一対のピボット型ヒンジで支持しているため、ドアを閉じたときには、ドアの上下に対して上下方向中間部が板厚方向に振幅するようにドアにぶれが生じるが、このぶれについても反り抑制具で抑制することができる。
【００１２】
しかも、上述のように、反り抑制具をドア及び戸当りの互いに対向する面の間に設けるが、これらの面は、ドアの反りの方向と直交する方向に沿う面で構成されている。このため、ドアに反りが生じたときには、このときの力が反り抑制具に圧縮力として作用するので、反り抑制具を小さく構成した場合でも、ドアに対する反り防止効果を確保することができる。従って、反り抑制具の小型化を図ることができる。
【００１３】
請求項２に記載のドアの反り抑制方法は、請求項１に記載のドアの反り抑制方法において、前記戸当りに前記反り抑制具を設ける方法である。
【００１４】
請求項２に記載のドアの反り抑制方法によれば、戸当りに反り抑制具を設けており、ドアには反り抑制具を設けないので、従来に比してドアの見栄えを向上させることができる。また、反り抑制具の高精度な位置調節も不要であるので、反り抑制具の設置時の作業性を良好とすることができる。
【００１５】
請求項３に記載のドアの反り抑制方法は、請求項１又は請求項２に記載のドアの反り抑制方法において、前記反り抑制具を、前記ピボット型ヒンジの少なくとも一部と前記ドアの幅方向にオーバラップするように設ける方法である。
【００１６】
請求項３に記載のドアの反り抑制方法によれば、反り抑制具を、ピボット型ヒンジの少なくとも一部とドアの幅方向にオーバラップするように設ける。従って、ドアに反りが生じたときでも、ピボット型ヒンジを中心として反り抑制具に作用するモーメントを抑制することができる。これにより、ドアに対する反り防止効果をより一層確保することができる。
【００１７】
請求項４に記載のドアの反り抑制方法は、請求項１〜請求項３のいずれか一項に記載のドアの反り抑制方法において、前記ドアとして、一対の縦桟、及び、前記一対の縦桟の上下にそれぞれ結合されると共にドア内外を連通する空気出入孔が形成された上桟及び下桟を有して構成された枠材と、前記枠材に結合された一対の表面材と、ドア内部に前記縦桟に沿って設けられ、前記枠材に結合された金属パイプと、を有するドアを用いる方法である。
【００１８】
請求項４に記載のドアの反り抑制方法によれば、金属パイプが内蔵されたドアを用いるので、ドアに反りが生じようとした場合でも、金属パイプによってドアの反りを抑制することができる。また、一時的にドアに反りが生じた場合でも、金属パイプの復元力を利用してドアの反りを矯正することができる。
【００１９】
また、ドアを使用する環境の温度や湿度が変化しても、ドア内外を連通する空気出入孔を有するドアを用いるので、この空気出入孔から空気が出入されることにより、ドアの上下に亘って内部空間内の空気の温度や湿度を略均等化できる。従って、このことによっても、ドアの反りを抑制することができる。
【００２０】
ところで、金属パイプのみによると、ドアの最大変形量や変形残留量の大きさを一定以下に抑えることができるが、ドアを使用する環境の温度や湿度が変化した場合に、これらに追従して反りを抑制するには限界がある。
【００２１】
一方、空気出入孔のみによると、ドアを使用する環境の温度や湿度が変化した場合でも、これらに追従して反りを抑制できるが、ドアの変形の繰り返しによって最大変形量や変形残留量が次第に大きくなる。
【００２２】
ところが、請求項４に記載のドアの反り抑制方法によれば、上述のように、金属パイプが内蔵されると共に、ドア内外を連通する空気出入孔を有するドアを用いるので、これらの相乗効果により、高い反り抑制効果を得ることができる。
【００２３】
また、前記課題を解決するために、請求項５に記載のドア構造は、建物の壁に形成された開口を開閉するドアと、前記ドアの上下を前記壁に対して回動可能に支持する一対のピボット型ヒンジと、前記開口における前記ピボット型ヒンジ側の縦縁に沿って設けられ、前記ドアが閉状態にあるときに前記ドアと厚さ方向に隙間を有して対向する戸当りを有する縦枠と、前記ドアの上下方向における前記一対のピボット型ヒンジの中間部に位置されると共に、前記ドア及び前記戸当りの互いに対向する面の間に設けられた反り抑制具と、を備えている。
【００２４】
請求項５に記載のドア構造によれば、ドアの上下方向における一対のピボット型ヒンジの中間部に位置されるように、ドア及び戸当りの互いに対向する面の間に、反り抑制具が設けられている。従って、ドアの上下に対して上下方向中間部が戸当り側に変位するようにドアに反りが生じた場合には、ドアの上下方向中間部の戸当り側への変位が反り抑制具によって規制されるので、これにより、ドアの反りを抑制することができる。
【００２５】
また、ドアの上下が壁に対して一対のピボット型ヒンジで支持されているため、ドアを閉じたときには、ドアの上下に対して上下方向中間部が板厚方向に振幅するようにドアにぶれが生じるが、このぶれについても反り抑制具で抑制することができる。
【００２６】
しかも、上述のように、反り抑制具は、ドア及び戸当りの互いに対向する面の間に設けられているが、これらの面は、ドアの反りの方向と直交する方向に沿う面で構成されている。このため、ドアに反りが生じたときには、このときの力が反り抑制具に圧縮力として作用するので、反り抑制具を小さく構成した場合でも、ドアに対する反り防止効果を確保することができる。従って、反り抑制具の小型化を図ることができる。
【００２７】
請求項６に記載のドア構造は、請求項５に記載のドア構造において、前記反り抑制具が前記戸当りに設けられた構成とされている。
【００２８】
請求項６に記載のドア構造によれば、戸当りに反り抑制具が設けられており、ドアには反り抑制具が設けられていないので、従来に比してドアの見栄えを向上させることができる。また、反り抑制具の高精度な位置調節も不要であるので、反り抑制具の設置時の作業性を良好とすることができる。
【００２９】
請求項７に記載のドア構造は、請求項５又は請求項６に記載のドア構造において、前記反り抑制具が、前記ピボット型ヒンジの少なくとも一部と前記ドアの幅方向にオーバラップするように設けられた構成とされている。
【００３０】
請求項７に記載のドア構造によれば、反り抑制具は、ピボット型ヒンジの少なくとも一部とドアの幅方向にオーバラップするように設けられている。従って、ドアに反りが生じたときでも、ピボット型ヒンジを中心として反り抑制具に作用するモーメントを抑制することができる。これにより、ドアに対する反り防止効果をより一層確保することができる。
【００３１】
請求項８に記載のドア構造は、請求項５〜請求項７のいずれか一項に記載のドア構造において、前記ドアが、一対の縦桟、及び、前記一対の縦桟の上下にそれぞれ結合されると共にドア内外を連通する空気出入孔が形成された上桟及び下桟を有して構成された枠材と、前記枠材に結合された一対の表面材と、ドア内部に前記縦桟に沿って設けられ、前記枠材に結合された金属パイプと、を有する構成とされている。
【００３２】
請求項８に記載のドア構造によれば、ドアに金属パイプが内蔵されているので、ドアに反りが生じようとした場合でも、金属パイプによってドアの反りを抑制することができる。また、一時的にドアに反りが生じた場合でも、金属パイプの復元力を利用してドアの反りを矯正することができる。
【００３３】
また、ドアを使用する環境の温度や湿度が変化しても、ドアはドア内外を連通する空気出入孔を有するので、この空気出入孔から空気が出入されることにより、ドアの上下に亘って内部空間内の空気の温度や湿度を略均等化できる。従って、このことによっても、ドアの反りを抑制することができる。
【００３４】
ところで、金属パイプのみによると、ドアの最大変形量や変形残留量の大きさを一定以下に抑えることができるが、ドアを使用する環境の温度や湿度が変化した場合に、これらに追従して反りを抑制するには限界がある。
【００３５】
一方、空気出入孔のみによると、ドアを使用する環境の温度や湿度が変化した場合でも、これらに追従して反りを抑制できるが、ドアの変形の繰り返しによって最大変形量や変形残留量が次第に大きくなる。
【００３６】
ところが、請求項８に記載のドア構造によれば、上述のように、ドアは、金属パイプが内蔵されると共に、ドア内外を連通する空気出入孔を有する構成とされているので、これらの相乗効果により、高い反り抑制効果を得ることができる。
【００３７】
また、前記課題を解決するために、請求項９に記載の反り抑制具は、建物の壁に形成された開口を開閉するドアと、前記ドアの上下を前記壁に対して回動可能に支持する一対のピボット型ヒンジと、前記開口における前記ピボット型ヒンジ側の縦縁に沿って設けられ、前記ドアが閉状態にあるときに前記ドアと厚さ方向に隙間を有して対向する戸当りを有する縦枠と、を備えたドア構造における、前記ドアの反りを抑制するための反り抑制具であって、前記ドアの上下方向における前記一対のピボット型ヒンジの中間部に位置されるように、前記ドア及び前記戸当りの互いに対向する面の間に設けられる反り抑制具である。
【００３８】
請求項９に記載の反り抑制具によれば、ドアの上下に対して上下方向中間部が戸当り側に変位するようにドアに反りが生じた場合には、ドアの上下方向中間部の戸当り側への変位を規制できるので、これにより、ドアの反りを抑制することができる。
【００３９】
しかも、上述のように、反り抑制具はドア及び戸当りの互いに対向する面の間に設けられるが、これらの面は、ドアの反りの方向と直交する方向に沿う面で構成されている。このため、ドアに反りが生じたときには、このときの力が反り抑制具に圧縮力として作用するので、反り抑制具を小さく構成した場合でも、ドアに対する反り防止効果を確保することができる。従って、反り抑制具の小型化を図ることができる。
【発明の効果】
【００４０】
以上詳述したように、本発明の第一態様によれば、反り抑制具の小型化を図ることができる。また、本発明の第二態様によれば、従来に比してドアの見栄えを向上させることができると共に、反り抑制具の設置時の作業性を良好とすることができる。
【図面の簡単な説明】
【００４１】
【図１】本発明の一実施形態に係るドア構造の全体構成を示す正面図である。
【図２】図１に示されるドアの内部構造を示す図である。
【図３Ａ】図１に示されるドアの平面図である。
【図３Ｂ】図１に示されるドアの底面図である。
【図４】図１に示されるドア構造の側面図である。
【図５】図１に示されるドア構造の要部拡大平面図である。
【図６】図１に示される反り抑制具の斜視図である。
【図７】図１に示されるドアの反りを説明する図である。
【図８】図１に示されるドア構造においてドアに反りが生じた状態を説明する図である。
【図９】本発明の一実施形態に係るドア構造の変形例を示す図である。
【図１０】本発明の一実施形態に係るドア構造の変形例を示す図である。
【図１１】本発明の一実施形態におけるドアの変形例を示す図である。
【図１２】本発明の一実施形態に係るドア構造についての試験結果を示す図である。
【図１３】本発明の一実施形態に係るドア構造についての試験結果を示す図である。
【図１４】本発明の一実施形態に係るドア構造についての試験結果を示す図である。
【図１５】本発明の一実施形態に係るドア構造についての試験結果を示す図である。
【図１６】比較例に係るドア構造についての試験結果を示す図である。
【図１７】比較例に係るドア構造についての試験結果を示す図である。
【発明を実施するための形態】
【００４２】
以下、図面に基づき、本発明の一実施形態について説明する。
【００４３】
図１に示されるように、本発明の一実施形態に係るドア構造１０は、ドア１２と、一対のピボット型ヒンジ１４，１６と、一対の縦枠１８，１９と、反り抑制具２０と、を備えている。
【００４４】
ドア１２は、建物の壁２２に形成された開口２４を開閉するものであり、床２６から天井２８に至る高さ（例えば、高さ２４００ｍｍ以上）を有する、所謂、フルハイトドア（登録商標）と称されるものである。
【００４５】
このドア１２は、図２に示されるように、枠材３０と、一対の表面材３２，３４と、金属パイプ３６，３８と、芯材４０，４２とを有して構成されている。
【００４６】
枠材３０は、木製とされており、一対の縦桟３０Ａ，３０Ｂ、上桟３０Ｃ，３０Ｄ、下桟３０Ｅ，３０Ｆ、縦中桟３０Ｇ〜３０Ｊ、横桟３０Ｋ〜３０Ｐを有して構成されている。上桟３０Ｃ，３０Ｄ及び下桟３０Ｅ，３０Ｆは、一対の縦桟３０Ａ，３０Ｂの上下にそれぞれ結合されており、この上桟３０Ｃ，３０Ｄ及び下桟３０Ｅ，３０Ｆには、縦中桟３０Ｇ〜３０Ｊがそれぞれ結合されている。
【００４７】
また、横桟３０Ｋ〜３０Ｍは、縦桟３０Ａ及び縦中桟３０Ｇにそれぞれ結合されており、横桟３０Ｎ，３０Ｏは、縦桟３０Ｂ及び縦中桟３０Ｉにそれぞれ結合されている。また、横桟３０Ｐは、縦中桟３０Ｈ及び縦中桟３０Ｊにそれぞれ結合されている。そして、この各桟により構成された枠材３０には、同じく木製とされた一対の表面材３２，３４が結合されている。
【００４８】
また、一対の縦中桟３０Ｇ，３０Ｈの間には、隙間が設けられており、この隙間には、角型の金属パイプ３６が一対の縦中桟３０Ｇ，３０Ｈに挟持されるように取り付けられている。同様に、一対の縦中桟３０Ｉ，３０Ｊの間には、隙間が設けられており、この隙間には、角型の金属パイプ３８が一対の縦中桟３０Ｉ，３０Ｊに挟持されるように取り付けられている。
【００４９】
さらに、上桟３０Ｃ，３０Ｄ、下桟３０Ｅ，３０Ｆ、縦中桟３０Ｇ〜３０Ｊ、横桟３０Ｋ〜３０Ｐにより区画された内部空間部には、例えばハニカム状に形成されたパルプ製の芯材４０，４２がそれぞれ収容されている。
【００５０】
また、上桟３０Ｃ，３０Ｄ及び下桟３０Ｅ，３０Ｆには、図２及び図３Ａ，図３Ｂに示されるように、ドア１２内外を連通する空気出入孔４４，４５がそれぞれ形成されており、横桟３０Ｐには、図２に示されるように、空気流通孔４６が形成されている。
【００５１】
一対のピボット型ヒンジ１４，１６は、図１に示されるように、ドア１２の上下の隅部にそれぞれ設けられており、ドア１２の上下方向（Ｖ方向）に延びる回転軸線Ｌ１，Ｌ２を中心にドア１２を壁２２に対して回動可能に支持している。なお、このドア１２は、室内側に回動されるように壁２２に取り付けられている。
【００５２】
一方の縦枠１８は、開口２４におけるピボット型ヒンジ１４，１６側の縦縁２４Ａに沿って設けられており、他方の縦枠１９は、開口２４におけるピボット型ヒンジ１４，１６側とは反対側の縦縁２４Ｂに沿って設けられている。
【００５３】
一方の縦枠１８は、図１，図４，図５に示されるように、ドア１２と幅方向（Ｗ方向）に対向する本体部４８と、ドア１２が閉状態にあるときにドア１２と厚さ方向（Ｔ方向）に隙間を有して対向する戸当り５０とを有して構成されている。戸当り５０は、ドア１２に対して室外側に配置されている。
【００５４】
反り抑制具２０は、上述のドア１２の反りを抑制するためのものであり、図６に示されるように、ブロック状に構成されている。この反り抑制具２０は、図１，図５に示されるように、ドア１２の上下方向（Ｖ方向）における一対のピボット型ヒンジ１４，１６の中間部に位置されるように、戸当り５０のドア１２と対向する面５０Ａに例えば接着材等により固定されている。
【００５５】
また、この反り抑制具２０は、図１，図５に示されるように、ピボット型ヒンジ１４，１６の少なくとも一部とドア１２の幅方向（Ｗ方向）にオーバラップするように設けられている。また、この反り抑制具２０には、図６に示されるように、上述のドア１２の開閉を阻害しないように、曲面２０Ａが形成されている。なお、この反り抑制具２０は、より好適には、例えば、ポリカーボネート等の樹脂で構成されるが、その他の材料で構成されても良い。
【００５６】
次に、上述のドア構造１０におけるドア１２の反り抑制方法と併せてその作用及び効果について説明する。
【００５７】
すなわち、本実施形態では、先ず、ドア１２が建物に備え付けられた直後に上記箇所に例えば接着等により反り抑制具２０を取り付ける。
【００５８】
ここで、一般に、ドア１２が建物に備え付けられた直後では、ドア１２の内部の含水率が外部環境の湿度と異なる状態にあるので、室内が暖房で暖められるなどして室外よりも温度が高くなると、図７に示されるように、ドア１２の上下に対して上下方向中間部１２Ａが室外側（戸当り５０側）に変位するようにドア１２に反りαが生じる。
【００５９】
しかしながら、この場合には、図８に示されるように、ドア１２の上下方向中間部１２Ａが反り抑制具２０と干渉することにより、ドア１２の上下方向中間部１２Ａの戸当り５０側への変位が反り抑制具２０によって規制されるので、これにより、ドア１２の反りを抑制することができる。
【００６０】
また、ドア１２の上下を壁に対して一対のピボット型ヒンジ１４，１６で支持しているため、ドア１２を閉じたときには、ドア１２の上下に対して上下方向中間部１２Ａが板厚方向に振幅するようにドア１２にぶれが生じるが、このぶれについても反り抑制具２０で抑制することができる。
【００６１】
しかも、上述のように、反り抑制具２０を戸当り５０のドア１２と対向する面５０Ａに設けるが、この面５０Ａは、ドア１２の反りの方向と直交する方向に沿う面で構成されている。このため、ドア１２に反りが生じたときには、このときの力が反り抑制具２０に圧縮力として作用するので、反り抑制具２０を小さく構成した場合でも、ドア１２に対する反り防止効果を確保することができる。従って、反り抑制具２０の小型化を図ることができる。
【００６２】
また、戸当り５０に反り抑制具２０を設けており、ドア１２には反り抑制具２０を設けないので、従来に比してドア１２の見栄えを向上させることができる。また、反り抑制具２０の高精度な位置調節も不要であるので、反り抑制具２０の設置時の作業性を良好とすることができる。
【００６３】
さらに、金属パイプ３６，３８が内蔵されたドア１２を用いるので、ドア１２に反りが生じようとした場合でも、金属パイプ３６，３８によってドア１２の反りを抑制することができる。また、一時的にドア１２に反りが生じた場合でも、金属パイプ３６，３８の復元力を利用してドア１２の反りを矯正することができる。
【００６４】
また、ドア１２を使用する環境の温度や湿度が変化しても、ドア１２内外を連通する空気出入孔４４，４５を有するドア１２を用いるので、この空気出入孔４４，４５から空気が出入されることにより、ドア１２の上下に亘って内部空間内の空気の温度や湿度を略均等化できる。従って、このことによっても、ドア１２の反りを抑制することができる。
【００６５】
ところで、金属パイプ３６，３８のみによると、ドア１２の最大変形量や変形残留量の大きさを一定以下に抑えることができるが、ドア１２を使用する環境の温度や湿度が変化した場合に、これらに追従して反りを抑制するには限界がある。
【００６６】
一方、空気出入孔４４，４５のみによると、ドア１２を使用する環境の温度や湿度が変化した場合でも、これらに追従して反りを抑制できるが、ドア１２の変形の繰り返しによって最大変形量や変形残留量が次第に大きくなる。
【００６７】
ところが、上述のように、金属パイプ３６，３８が内蔵されると共に、ドア１２内外を連通する空気出入孔４４，４５を有するドア１２を用いるので、これらの相乗効果により、高い反り抑制効果を得ることができる。
【００６８】
さらに、上述のように、反り抑制具２０を、ピボット型ヒンジ１４，１６の少なくとも一部とドア１２の幅方向（Ｗ方向）にオーバラップするように設けている。従って、ドア１２に反りが生じたときでも、ピボット型ヒンジ１４，１６を中心として反り抑制具２０に作用するモーメントを抑制することができる。これにより、ドア１２に対する反り防止効果をより一層確保することができる。
【００６９】
そして、通常は、ドア１２を建物に備え付けてから例えば１年程度経過すると、ドア１２の内部の含水率が外部環境の湿度と平衡となり、ドア１２に反りが生じにくくなる。そこで、この場合には、反り抑制具２０を戸当り５０から取り外しても良い。
【００７０】
また、反り抑制具２０を設置しているときには、反り抑制具２０と接触するドア１２の領域に、例えば、傷つき防止のためのフィルム等を設けても良い。
【００７１】
また、見栄えをより一層向上させるために、反り抑制具２０を戸当り５０やモヘアと同色にしても良い。
【００７２】
次に、本発明の一実施形態と比較例とを比較した試験結果について説明する。
【００７３】
図１２〜図１５には、本発明の一実施形態に係るドア構造についての試験結果（試験１〜４）が示されており、図１６，図１７には、比較例に係るドア構造についての試験結果（試験５，６）が示されている。
【００７４】
試験は、ドアを閉じた状態でドアに対して熱光源より光を照射し、各照射時間においてドアの反りを測定する。また、光を照射後にドアを開いた状態とし、各経過時間においてドアの反りを測定する。また、試験１〜３、及び、試験５，６については、ドアの表面の温度が５０℃を超えるように、過酷条件で行う。一方、試験４については、ドアの表面の温度が４０℃弱となるように、実使用条件で行う。
【００７５】
なお、各ドア構造において、ドアと戸当りとの隙間、反り抑制具の高さ、ドアと反り抑制具との隙間の初期設定については、各図に示される通りである。また、比較例に係るドア構造は、金属パイプ及び空気出入孔を有しない一般的なドアを備えた構成とされたものである。
【００７６】
そして、以上の試験より得られた結果は、次の通りである。
【００７７】
すなわち、図１２に示される試験１では、光を照射後、ドアを開いてから３０分経過後に、ドアが正常に閉まるようになり、時間経過によりドアの開閉に支障が無いことが確認された。
【００７８】
同様に、図１３に示される試験２では、光を照射後、ドアを開いてから４０分経過後に、ドアが正常に閉まるようになり、時間経過によりドアの開閉に支障が無いことが確認された。
【００７９】
また、図１４に示される試験３では、光を照射後、ドアを開いてから２５分経過後に、ドアが正常に閉まるようになり、時間経過によりドアの開閉に支障が無いことが確認された。
【００８０】
また、図１５に示される試験４では、光を照射後、ドアを開いた直後に、ドアが正常に閉まり、最初からドアの開閉に支障が無いことが確認された。
【００８１】
一方、図１６，図１７に示される試験５，６では、光を照射後、ドアを開いた直後から、ドアの反りが進行し、最初から最後までドアが開閉できなかった。
【００８２】
以上より、金属パイプ及び空気出入孔を有するドアに対して、反り抑制具を用いることにより、高い反り抑制効果が得られることが明らかとなった。
【００８３】
以上、本発明の一実施形態について説明したが、本発明は、上記に限定されるものでなく、その主旨を逸脱しない範囲内において種々変形して実施することが可能であることは勿論である。
【００８４】
例えば、上記実施形態において、反り抑制具２０は、戸当り５０に設けられていたが、図９に示されるように、ドア１２の戸当り５０と対向する面１２Ｂに設けられていても良く、また、図１０に示されるように、戸当り５０とドア１２の互いに対向する面５０Ａ及び面１２Ｂの両方に設けられていても良い。
【００８５】
また、上記実施形態において、ドア１２は、内部に芯材４０，４２を有する構成とされていたが、芯材４０，４２の代わりに、図１１に示されるように、複数の中桟３０Ｑ〜３０Ｖを有する構成とされていても良い。
【００８６】
また、上記実施形態において、ドア構造１０は、縦枠１８，１９に加えて、開口２４の上縁及び下縁に設けられる上枠及び下枠を備えた構成とされていても良い。
【符号の説明】
【００８７】
１０  ドア構造
１２  ドア
１２Ａ  ドアの戸当りと対向する面
１４，１６  ピボット型ヒンジ
１８  縦枠
２０  反り抑制具
５０  戸当り
５０Ａ  戸当りのドアと対向する面
【図１】
2010163784.tif 000003
【図２】
2010163784.tif 000004
【図３Ａ】
2010163784.tif 000005
【図３Ｂ】
2010163784.tif 000006
【図４】
2010163784.tif 000007
【図５】
2010163784.tif 000008
【図６】
2010163784.tif 000009
【図７】
2010163784.tif 000010
【図８】
2010163784.tif 000011
【図９】
2010163784.tif 000012
【図１０】
2010163784.tif 000013
【図１１】
2010163784.tif 000014
【図１２】
2010163784.tif 000015
【図１３】
2010163784.tif 000016
【図１４】
2010163784.tif 000017
【図１５】
2010163784.tif 000018
【図１６】
2010163784.tif 000019
【図１７】
2010163784.tif 000020